(57)【特許請求の範囲】
【請求項１】
一旦硬化すると、保護カバーを形成する、成形可能な粘性密封材（２）を用いてネジ又はリベット（３）を封止するのに適用可能な、プラスチック材によって形成される種類の封止体用ベル成形型であって、該成形型は、２片体の一部分から構成され、２片体のうちの一つは、前記粘性密封材中に吸蔵された空気を放出し易くする一方で、ノズル（４）又はベルの芯出しとして機能する、複数の切欠部（１３）を有する１本の剣状ガイド（１０）であり、２片体のもう一つは、ロッド（８）を有しかつ庇部（６）に延びる垂直壁（５）から成る、ノズル（４）によって形成される部分であり、前記ロッドには、貫通孔（９）がガイド（１０）を挿入するために設けられており、前記ガイドは、前記リベット又はネジの穴（３）に挿入されて、前記ベルの芯出しを行う一方で、前記粘性密封材（２）中に吸蔵された空気を放出し易くする装置である、成形可能な粘性密封材を用いる封止体用ベル成形型。
【請求項２】
前記ガイド（１０）は、剣状長尺体から成り、該長尺体の片方の端部に操作摘み（１１）が付けられ、他方側には、前記ネジ又はリベット（３）に挿入される丸みを帯びた先端部（１２）を示すことを特徴とする、請求項１に記載の成形可能な粘性密封材を用いる封止体用ベル成形型。
【請求項３】
前記ロッド（８）の前記貫通孔（９）は、円錐形状を有し、前記ロッドの遠位部分が、前記ノズル（４）に前記ロッドを接合する部分より、若干広くされることを特徴とする、請求項１又は２に記載の成形可能な粘性密封材を用いる封止体用ベル成形型。
【請求項４】
前記ガイド（１０）の前記切欠部（１３）は、前記ガイドの前記剣状体に沿って延びており、前記ガイド（１０）は前記摘み（１１）及び中実の先端部（１２）前の縁部（１４）を除く部分において断面形状が十字型であることを特徴とする、請求項２に記載の成形可能な粘性密封材を用いる封止体用ベル成形型。
【請求項５】
前記成形型（１）は、複数の成形型ユニット（１）をグループ化して形成した格子（１５）に配列され、前記ユニットは、接合用セグメント（１６）によって接合され、ノズル（４）を上向きにして配置され、支持脚（１７）が付けられ、該支持脚（１７）は、セットを同じ高さにするように、当該格子（１５）の縁部及び中心部に配置されることを特徴とする、請求項１乃至４の何れか一項に記載の成形可能な粘性密封材を用いる封止体用ベル成形型。
【請求項６】
前記成形型（１）は、蛍光色のプラスチックＰＥ又はＰＰ材料からなることを特徴とする、請求項１乃至５の何れか一項に記載の成形可能な粘性密封材を用いる封止体用ベル成形型。
【発明の詳細な説明】
【技術分野】
【０００１】
本発明は、本明細書の冒頭で表されるように、成形可能な密封材を用いる封止体用ベル状成形型に関し、該成形型は、複数の効果及び新規な特徴を持たせる働きに貢献し、かかる効果及び特徴については、以下で詳述されるが、同じ目的の現在知られるシステムに対して顕著な改善点を伴う。  
【背景技術】
【０００２】
（本発明の適用分野）
【０００３】
本発明の適用分野は、一般的には、特に、成形可能な密封材による封止体の範囲に重点を置く、航空、鉄道、造船産業といった、密封するために封止が必要となるネジ及びリベットを用いて機械又は装置の製造を行うあらゆる産業に及ぶ、技術工業部門に入る。
【０００４】
現在の先端技術の参考として、成形型内に密封材を挿入して、成形型は、密封材が固まる前に、リベット又はネジ上に載置され、硬化すると除去されて、ネジ及びリベットに密封材による被覆を施して、ネジ及びリベットを密封する技術について、言及しておく必要がある。
【０００５】
しかしながら、本出願人は、他のベル成形型、又は本明細書に記載されたものと同様な技術的、構造的及び構成的特徴を示す、同様の発明の存在を知らず、また本発明を特徴付ける細部については、本明細書に付記された本クレームに、正式に集約される。
【発明の概要】
【発明が解決しようとする課題】
【０００６】
特に、本発明の目的は、ベル状成形型に集中し、所謂２片体から成るベル状成形型が、リベット又はネジを、一旦硬化すると、湿気や腐食から保護する密封用被覆体を提供する密封材又は１若しくは２成分のシリコンのような粘性材料で封止することを、目指すが、特異な点として、いくつかある長所の中で特に、ロボットによる密封材成分の塗布を容易にし、それにより塗布する製品量を厳密に制御できる一方、他方で、穴のない完全に滑らかな表面で安全な被覆体を確立して、腐食の原因となり得る菌類や細菌の発生を防止する、進歩的な構造設計を有するという点を伴っている。
【課題を解決するための手段】
【０００７】
具体的には、本発明は、以上で指摘したように、リベット及びネジのためのベル状成形型を提案する。
【０００８】
本発明の第１特徴によると、記載した成形型は、逆さにしたベル形をグループ化して、ノズル格子群を形成して、この格子の縁部及び中央部に、支持脚を計画的に存在させた状態にして、配列させる。その結果、作業台上で容易に同じ高さにすることができ、充填材を有する自動充填機で、該成形型を１つずつ又は列毎に、決められた量の材料で充填可能にし、それにより、全てのベルに、正確に同量が充填され、その結果、全封止体の密封材の量が同じとなり、封止体が、同一で、安定して、均一になる。
【０００９】
また、論理的には、ノズル又はベルは、従来の方法である手動の押出しガンで充填されることもできる。
【００１０】
本発明の別の特性によると、ベル成形型又は格子は、好適には、蛍光色の、プラスチック材料、ＰＥ（ポリエチレン）又はＰＰ（ポリプロピレン）で作製されており、暗闇でも見えるようになっている。これは、そうした材料のために、照明が取除かれても、蛍光が賦活され、暗闇で反射し、その結果暗闇で輝くため、例えば航空機の燃料タンク内で、材料が硬化されたのちに、ネジ又はリベットの除去されるべき成形型が忘れられた場合に、簡単に且つ迅速に検出されることができるためである。  
【００１１】
また、提案された成形型には、他の種類の既存の封止システムより勝る利点、即ち、該成形型の適用が直接的である点、及び成分が混合されると直ぐに、材料が重合又は乾燥を開始するため、他のシステムでは必要な、取扱や配送が困難な、超冷凍を行なわずに済むという点がある、というのも、封止に使用される密封材は、まず該密封材を使用する企業に配送されるための特別な成形型で成形され、該密封材は、特別なチャンバ及び特別な輸送で、保存されなければならないためで、これは、２成分が混合されてしまうと、直ちに塗布するか、或いは重合又は硬化過程を止めるのに冷凍されなければならず、加工が高価になり、多くの場合、実現不可能になるからである。
【００１２】
本発明の成形型の別の利点は、該成形型が一旦配置されると、密封材が固まる間、ベル成形型が、削り屑、埃又は密封材上に落ちる可能性がある他の汚染物質から、密閉封止部を保護するので、塗布される機械又は装置を組み立てる作業、例えば穴開け加工やバリ取り等が、継続されることができる。    
【００１３】
更にまた、提案された成形型は、回収されることができるため、ベルが外された際に、綺麗に見えれば、再利用でき、その一方で、完全に滑らかな密封成形品を残すため、リベット及びネジの封止部が、外観を損なう穴や粗い形状なしに、仕上がる点は、強調されねばならない。  
【００１４】
特に、ベル成形型という特定の形状にすることで、ノズル又はノズル端部を先細のスカートにして、ベル形状にすることに加えて、ノズルの縁部に平坦リムを設けるように設計して、完全に支持し、より安全にできる点が、注目されなければならない。反対側では、成形型は、ノズルに接合される軸部を有し、該軸部により操作し易くなり、軸部に沿って通気孔を有する。
【００１５】
この孔は、空気を放出するために、及び剣状ガイドを挿入するために使用される。この剣には、ネジ又はリベット上に成形型を載置する前に、芯出しするためにネジ又はリベットの上に嵌合させる先端部が、付いている。
【００１６】
更にまた、この剣には、ベルが充填される際に、密封材中に見られることがある空気を放出し易くするように、穴が付いている。ロッドの剣は、リベット又はボルトの基部に到達するまで、ベルマウスの平坦面と共に押圧しながら、左右に僅かに回転を加え、成形型が載置されると、ロッドの剣が除去され、成形型は、密封材が固まるまで、載置されたままにする。  
【００１７】
また、成形型ノズルのロッドは、円形が好ましいが、例えば、星、六角形等の様々な形であっても良いことを強調しなければならない。該ロッドは、ノズルを操作するために、及び成形型を外し易くするために、使用される。
【００１８】
そのため、本発明のベル成形型は、封止体を、完全に十分に均質で均等にすることを目指し、また、従来のシステムでは、加工公差が最大５ｍ／ｍであるのに対して、本明細書に記載された成形型では、交差が数十ミリに縮小されたため、数十ミリまでの精度測定を達成することを目指している。これにより、工学部品として構成され、密封材を、精確で十分に密着するのに加えて、確実に密着させる最適な方法により、軽量化が可能になるが、この軽量化は、例えば、飛行機の場合には、多数の封止体の多くのグラム数が、追加のバラストに関連するため、極めて重要である。
【００１９】
封止体を実装するための、技術情勢において知られる他の技術との主な相違点は、密封材充填ガン又は注射器で、自動又は手動で密封材を塗布する点である。  
【００２０】
この工程は、ベルのノズル内部に密封材の必要材料を挿入することから成り、該ベルは、リベット又はボルトの大きさに応じて異なる寸法を有する。封止を行うのに必要な密封材の量が、塗布される。カプセルは、リベットの正面で、まず剣状ガイドでネジ又はリベットを指しながら載置され、その後ベルをネジ又はリベット上に嵌着して、ネジ又はリベットを密封材内に沈めたままにして、確実に、ベルの平坦縁部が、ネジ又はリベット周り部分の表面上に来るように調整される。押圧中、ガイドをベルの左右に小さく回転させて、密封材に含まれている可能性がある空気を、ロッドの貫通孔を通して放出できるが、該ロッドには、ガイドが挿入されており、ガイドのスリットを通して放出される。ネジの基部に達すると、ガイドを除去して、密封材が固まるまで、成形型を放置する。密封材を乾燥又は硬化させた後、数時間後、固化し、特に視認可能な部分において、穴も無く、光沢があり、見事な美的外観を与えるように完璧な仕上がった密封材から、ベルを外して、分離させる。最も重要なことは、航空機、自動車、船、及び鉄道の大敵である腐食から保護することができる。
【００２１】
また、このシステムは、機械化できた場合、各リベットに塗布される密封材を正確な量を計算して、密封材が塗布される装置又は機械全体で使用される密封材量を、その都度知ることが可能になる。
【００２２】
以上に基づいて、上述した成形可能な密封材を用いる封止体用ベル成形型は、今日まで未知の当該目的に対する特徴に関する進歩性を意味することが実証され、そうした理由は、その実用的な価値と共に、要求された独占権を得る、十分な根拠を本成形型に与えるものである。
【００２３】
本発明についてなされた記載を補足するために、及び本発明を優れていると認めさせる特性を一層良好に理解するのを助けるために、本明細書は、１組の設計図を必須の部分として含めているが、これは説明を目的とするもので、限定目的ではない、
【図面の簡単な説明】
【００２４】
【図１】本発明の成形可能な被密封材を用いる封止体用ベル成形型に関する実施形態の一例の断面正面図であり、該ベル成形型に関する形状及び構成部品について示している。
【図２】図１で示された、本発明による成形型の平面図である。
【図３】本発明の成形型に関する斜視図であり、この場合、芯出し剣を成形型内に嵌入させて表している。
【図４】芯出し剣の正面図であり、該剣の把持部及び空気を放出させるスリットについて示している。
【図５】図４に示したＡ−Ａ線に沿った、剣の断面図である。
【図６】本発明の成形型で封止が行われた部分をリベットと共に、断面図で示しており、如何にしてこの成形型が、リベット上に適用されて、上記封止体を得られるかについて示している。
【図７】本発明の成形可能な被密封材を用いる封止体用ベル成形型を、機械化を可能にする支持脚を用いて、格子状にグループ化した斜視図である。
【図８】図７で示された本発明による、成形型の格子についての断面図である。
【図９】図７で示された本発明による、成形型の格子についての平面図である。
【発明を実施するための形態】
【００２５】
上記の図面から見て、及び採用された付番によると、図面では、本発明の好適実施形態の例は、以下で詳細に記載される部品及び要素を含むことが分かる。
【００２６】
また、これらの図面に示されているように、関連する成形型（１）は、プラスチック材料、好適には、蛍光色のプラスチック材料ＰＥ又はＰＰの、ネジ又はリベットを封止するための成形可能な密封材（２）を含むのに適用可能なベル形状をした一体型部品から構成され、該一体型部品は、垂直壁（５）のノズル（４）から構成され、該垂直壁は、延伸して、周縁庇部（６）で開口しており、該周縁庇部（６）の縁部には、平坦リム（７）が計画されており、それにより封止が実行されるネジ又はリベットが出現する部分の表面（３）に亘り、成形型を完全に支持できる。
【００２７】
庇部（６）に関して記載した側と反対側に、成形型は軸部（８）を有し、該軸部は、円形断面又は任意の他の形状とすることができ、該軸部には、貫通孔（９）が設けられており、該貫通孔は、好適には、円錐形状で、軸部の遠位部分が、ノズル（４）に接合される部分より、若干広くなっている。
【００２８】
この貫通孔（９）は、該孔の内部に芯出しガイド（１０）を挿入可能にするためのもので、該芯出しガイド（１０）は、図４及び図５で示される通り、剣状の長尺体から成り、該長尺体は、その端部に操作摘み（１１）を取付けて、ドリルを挿入させ易くし、特に抜き出し易くしており、反対側には、丸みを帯びた先端部（１２）を有し、成形型の芯出しを行うために、該先端部（１２）は、ネジ又はリベット（３）の頭部にある予定された隙間に挿入される。
【００２９】
また、このガイド（１０）は、空気口となる多数のスリット（１３）を有し、該スリットには、密封材（２）を含むことができるため、ガイドの先端がネジ又はリベット上に固定された状態で成形型が配置されており、ロッド（８）の貫通孔（９）に入れられる際に、スリットを僅かに移動させて、空気を放出することができる。
【００３０】
こうしたガイド（１０）のスリット（１３）は、図４及び図５に示されたように、好適には、ガイドの剣状体の十字形断面形状から成り、該断面形状は、操作摘み（１１）及び中実の先端部（１２）前の端部（１４）を除く大部分に及ぶ。      
【００３１】
図７、図８及び図９によると、如何にして複数の成形型（１）が、グループ化されて格子（１５）を形成し、又は接合セグメント（１６）によって接合されて、配列され、ベルのノズル（４）を逆さにした状態、即ち、庇部（６）の開口部を上向きにした状態で、該開口部に容易に自動的に充填されるように、配置されるが、数本の支持脚（１７）を存在させ、該支持脚を上記格子（１５）の縁部と中心部に配置して、作業台上で成形型セットを同じ高さにできるように予め計画することが分かる。  
【００３２】
本発明の性質及び本発明の実行方法について十分説明したので、本発明の範囲、及び本発明の結果得られる効果を当業者が理解するのに、これ以上の説明は不要と思われる。但し、本発明の本質に関して、説明目的のみで示された実施形態とは、細部で異なる他の実施形態においても、実行されることができ、本発明の基本的な原理が影響を受けず、変形又は変更されないという条件で、他の実施形態も、保護されるものとする。
【符号の説明】
【００３３】
１        成形型  
２        密封材
３        ネジ又はリベット
４        ノズル  
５        垂直壁  
６        周縁庇部  
７        平坦リム
８        軸部  
９        貫通孔  
１０      ガイド  
１１      操作摘み  
１３      スリット  
１５      格子  
１６      接合用セグメント  
１７      支持脚  
【図１】
0005938792.tif 000002
【図２】
0005938792.tif 000003
【図３】
0005938792.tif 000004
【図４】
0005938792.tif 000005
【図５】
0005938792.tif 000006
【図６】
0005938792.tif 000007
【図７】
0005938792.tif 000008
【図８】
0005938792.tif 000009
【図９】
0005938792.tif 000010